(57)【要約】【課題】  引出し２が出し入れされるキャビネット１において、引出し２の上面開口部付近に収納棚３を備え、なおかつ使い勝手の良いキャビネット１を提供することである。【解決手段】  引出し２が出し入れされるキャビネット１において、引出し２の上面開口部付近に扁平な薄型の収納棚３を備え、前記収納棚３を水平に伸縮自在となしたものである。又、収納棚３は互いに摺動する２つの部材が結合することで伸縮自在となっている。又、収納棚３は、引出し２奥側の奥側部材と、引出し２手前側の手前側部材との２つの部材が結合することで前後方向に伸縮自在となっている。【選択図】図１
2007082950.tif 000002
【特許請求の範囲】
【請求項１】
引出しが出し入れされるキャビネットにおいて、引出しの上面開口部付近に扁平な薄型の収納棚を備え、前記収納棚を水平に伸縮自在となしたことを特徴とするキャビネット。
【請求項２】
収納棚は互いに摺動する２つの部材が結合することで伸縮自在となっていることを特徴とする請求項１記載のキャビネット。
【請求項３】
収納棚は、引出し奥側の奥側部材と、引出し手前側の手前側部材との２つの部材が結合することで前後方向に伸縮自在となっていることを特徴とする請求項２記載のキャビネット。
【請求項４】
収納棚がキャビネット本体に対して出し入れ自在であることを特徴とする請求項１〜３のいずれか一項記載のキャビネット。
【発明の詳細な説明】
【技術分野】
【０００１】
本願発明は、引出しが出し入れされるキャビネットに関するものである。
【背景技術】
【０００２】
従来から、特開２００３−２８４６１４号に示される如く、引出しが出し入れされるキャビネットは知られている。この種のキャビネットは、一般に、同公報でも説明されているように、キャビネットに出し入れされる引出しの上面開口部付近に収納棚を備えることによりキャビネットの収納能力を向上させようとするものである。すなわち、図５に示す如く、キャビネット１はキャビネット本体１１と、前記キャビネット本体１１に出し入れされる引出し２を備えている。引出し２はその前面に備えた引手２１を手などで把持して、キャビネット本体１１に出し入れされるようになされている。
【０００３】
引出し２の上面開口部付近には、収納棚３が備えられている。引出し２がキャビネット本体１１から出された状態で、収納棚３がキャビネット本体１１に対して摺動して、収納棚３がキャビネット本体１１に出し入れされるようになされている。収納棚３を引出し２の上面開口部付近に備えたことで、引出し２上方の空間を収納に利用して、キャビネット１の収納能力を向上させようとしている。
【０００４】
しかしながら、この場合には、キャビネット１の使用状況によっては、収納棚３を備えたことによって、かえってキャビネット１の使い勝手が悪くなってしまうという問題点がある。例えば、収納棚３は引出し２の上面開口部付近の空間を占有しているため、引出し２には背の高い収納物を収納することが不可能である。すなわち、収納棚３を備えたことにより、引出し２の収納能力は低下している。また、引出し２の手前側に、収納不可能な、一升瓶の様にガラス製の背が高い収納物を収納して、引出し２をキャビネット本体１１に入れようとすれば、背の高い収納物が収納棚３の手前側に当たってしまうという問題点がある。
【０００５】
このような事態を避けるために、収納棚３の手前側に凹部を設けて、引出し２の収納能力を損なわないようにすることが考えられる。この場合には、引出し２に背の高い収納物を収納しない場合においても収納棚３の収容能力は減少させられるため、キャビネット１の使い勝手が損なわれる結果となる。
【特許文献１】特開２００３−２８４６１４号公報
【発明の開示】
【発明が解決しようとする課題】
【０００６】
本願発明は、上記背景技術に鑑みて発明されたものであり、その課題は、引出しが出し入れされるキャビネットにおいて、引出しの上面開口部付近に収納棚を備え、なおかつ使い勝手の良いキャビネットを提供することである。
【課題を解決するための手段】
【０００７】
上記課題を解決するために、本願発明は、引出しが出し入れされるキャビネットにおいて、引出しの上面開口部付近に扁平な薄型の収納棚を備え、前記収納棚を水平に伸縮自在となしたものである。又、収納棚は互いに摺動する２つの部材が結合することで伸縮自在となっている。又、収納棚は、引出し奥側の奥側部材と、引出し手前側の手前側部材との２つの部材が結合することで前後方向に伸縮自在となっている。又、収納棚がキャビネット本体に対して出し入れ自在である。
【発明の効果】
【０００８】
本願発明においては、収納棚を水平に伸縮自在となしたことから、引出し内部に背の高いものを収納した場合には収納棚を収縮させて使用し、そうで無い場合は伸ばして使用することで、引出しの収納物などのキャビネットの使用状況に応じた使い勝手の良いキャビネットを提供することを可能にしている。又、収納棚は互いに摺動する２つの部材が結合することで伸縮自在となっていることから、シンプルな構造で伸縮自在の収納棚が実現されている。
【０００９】
又、収納棚は、引出し奥側の奥側部材と、引出し手前側の手前側部材との２つの部材が結合することで前後方向に伸縮自在となっていることから、引出しの手前側に一升瓶などの背の高い収納物を収納した場合にも、収納棚を収縮させれば収納棚が背の高い収納物に当たることが無い。
【００１０】
又、収納棚がキャビネット本体に対して出し入れ自在であることから、収納棚を使用しない場合は、収納棚を収縮させてキャビネット本体に入れておけば引出しの収納物を出し入れしやすい。また収納棚を収縮させておけば、収納棚を手前に出した場合にも、引出し手前に収納した背の高い収納物（一升瓶など）に当たらなくて良い。
【発明を実施するための最良の形態】
【００１１】
図１〜４は、本願の請求項１〜４全てに対応した一実施形態であるキャビネットを示している。この実施形態のキャビネットにおいては、図１、２に示す如く、引出し２の上面開口部付近に扁平な薄型の収納棚３を備え、前記収納棚３を水平に伸縮自在となした。
【００１２】
又、収納棚３は互いに摺動する２つの部材３３、３４が結合することで伸縮自在となっている。
【００１３】
又、収納棚３は、引出し２奥側の奥側部材３４と、引出し手前側の手前側部材３３との２つの部材が結合することで前後方向に伸縮自在となっている。
【００１４】
又、収納棚３はキャビネット本体１１に対して出し入れ自在である。
【００１５】
以下、この実施形態のキャビネット１を、より具体的詳細に説明する。図１はキャビネット１の全体を示す斜視図である。キャビネット１は金属や木材、プラスチックといった素材やそれらの組み合わせにより構成される。キャビネット１が水道や流し台、調理台を備えたシステムキッチンの下部に備えて用いられる場合もあるが、このような場合にはキャビネットに防錆加工や防腐加工を施しても良い。
【００１６】
キャビネット１はキャビネット本体１１、引出し２、収納棚３からなっている。キャビネット１は、引出し２をキャビネット本体１１に入れた状態で、ほぼ立方体のような六面体の形状をしており、その内の一面を正面として、引出し２の前面板２０１と引手２１が備えられている。
【００１７】
引出し２は引手２１を手で把持するなどして、手前側（前側）に引くことで、キャビネット本体１１から出され、開けられる。また引出し２の引手２１を奥側（後ろ側）に押せば、引出し２がキャビネット本体１１に入れられ、閉じられる。引出し２は手前側に設けられた１枚の前面板２０１と、両側の側面に設けられた２枚の側面板２０２と、奥側に設けられた１枚の後面板２０３と、１枚の底面板２０４によって、物が収納される空間が形成されており、物が収納される空間は上面開口部を有していて、その上面開口部から収納する物が出し入れされる。引出し２の上面開口部付近には、収納棚３がキャビネット本体１１に出し入れされるように設けられている。
【００１８】
収納棚３は、２本の支持部３１に取り付けられており、支持部３１はキャビネット本体１１に対して摺動する。すなわち、収納棚３は、支持部３１が前後に摺動することにより、キャビネット本体１１に対して出し入れするようになされている。収納棚３は扁平な薄型の、上部に開口部を有する、箱型のカゴである。
【００１９】
キャビネット１に物を収納する場合には、引出し２の底面板２０４と収納棚３との間の空間に収納しても良いし、収納棚３に収納しても良い。
【００２０】
図２（ａ）は図１におけるＸ−Ｘ断面図であり、図２（ｂ）（ｃ）はキャビネット１の側面透視図であって、引出し２をキャビネット本体１１に入れた状態におけるキャビネット１の様子を示す。
【００２１】
引出し２の上面開口部付近に備えられた収納棚３は、支持部３１と収納部３２によって構成されている。また収納部３２は、手前側部材３３と奥側部材３４によって構成されており、手前側部材３３と奥側部材３４との２つの部材が結合して伸縮するようになされている。
【００２２】
収納棚３は支持部３１によってキャビネット本体１１に懸架されている。支持部３１は水平になされた板状の部材であり、キャビネット本体１１両側の側面板の内側において前後方向に設けられた直線状の凹部１２に摺動するように懸架される。
【００２３】
収納棚３を前後に動かすと、収納棚３の支持部３１が、キャビネット本体１１内側の凹部１２に対して摺動することによって、収納棚３はキャビネット本体１１に対して出し入れされる。収納棚３の収納部３２を構成する手前側部材３３と奥側部材３４は両方とも支持部３１に取り付けられているが、奥側部材３４は支持部３１に対して固定して取り付けられているのに対し、手前側部材３３は支持部３１に対して摺動するように取り付けられているという点が異なっている。
【００２４】
奥側部材３４は、水平に設けられた板状の部材である支持部３１の下面に固定されており、支持部３１と奥側部材３４との相対位置が変わることはない。それに対して、手前側部材３３は、上部両側に設けられた手前側部材摺動部３３ａによって、支持部３１に対して摺動するように取り付けられている。手前側部材摺動部３３ａはコの字状の部材であり、水平に設けられた板状の支持部３１に嵌めて摺動するように取り付けられている。手前側部材３３は奥側部材３４の内側を前後に摺動する。
【００２５】
収納棚３がキャビネット１１に対して出し入れされる場合に、支持部３１がキャビネット本体１１の凹部１２に対して前後に摺動する。この時、支持部３１に取り付けられている収納棚３の収納部３２も支持部３１と同じく前後に動く。これは、収納部３２を構成する手前側部材３３、奥側部材３４の両方の部材について同様である。手前側部材３３は、さらに、支持部３１に対して前後に摺動する。これにより、手前側部材３３は支持部３１に固定して取付けられている奥側部材３４に対して前後に摺動するので、手前側部材３３と奥側部材３４から構成されている収納部３２は、前後方向に伸縮する。
【００２６】
図２（ｂ）（ｃ）はキャビネット１の側面透視図を示す。キャビネット１の図面向かって左側には、引手２１の取り付けられた引出し２の前面板２０１が備えられており、引出し２がキャビネット本体１１から出されるときは、引手２１を手で把持するなどして、図面向かって左側に動かす。図２（ｂ）は収納棚３を伸長させた状態を示し、図２（ｃ）は収納棚３を収縮させた状態を示す。
【００２７】
引出し２の収納物の高さが、引出し２に収納した状態で収納棚３に届かない程度の高さであれば、図２（ｂ）に示されるように、収納棚３を伸長させて使用するのが好ましい。
【００２８】
図２（ｃ）に示すように、引出し２に収納した状態で収納棚３に届くような、背の高い収納物１１１を収納する場合には、背の高い納物１１１と収納棚３が干渉し合って、引出し２をキャビネット本体１１に収納出来なくなる事態を避けるために、収納棚３を収縮させて、引出し２の手前側に、背の高い収納物１１１を収納する空間を確保することが可能である。
【００２９】
図３は、図２（ｂ）（ｃ）に示した収納棚３の収縮の様子を、より詳細に示した収納棚３の側面図である。収納棚３は支持部３１と収納部３２から構成されており、収納部３２は支持部３１に取り付けられている。収納部３２は手前側部材３３と、奥側部材３４から構成されており、手前側部材３３は支持部３１に対して前後方向に摺動する。図３においては、図面向かって左側が前側（手前側）であり、図面向かって右側が後ろ側（奥側）である。収納棚３が前後に伸縮されるときには、画面向かって左右の方向に伸縮される。
【００３０】
図３（ａ）は、図２（ｂ）と同様に、収納棚３を伸長させた状態を示している。手前側部材３３は、奥側部材３４の内側に設けられ、支持部３１に対して前後に摺動する。手前側部材３３の前側と正面向かって両側には、傾きを有する壁面が設けられており、前面と両側面の三方が壁面で囲まれている。また底面を有しているため、前側部材３３は、前面と両側面、底面の４面によって収納空間を形成しているが、上部と後部には壁を有せず、上部の開口部と後部開口部を有する。
【００３１】
奥側部材３４は、後部と正面向かって両側との３箇所に、傾きを有する壁面が設けられている。また底面を有しているため、奥側部材３４は後面と両側面、底面の４面によって収納空間を形成しているが、上部と前部には壁を有せず、上部の開口部と、前部開口部を有する。
【００３２】
手前側部材３３が後部開口部を有し、奥側部材３４が前部開口部を有するが、収納棚３が最も伸長された状態においても、手前側部材３３の後部開口部は奥側部材３４の前部開口部よりも後ろ側にあるようになされているため、収納棚３の収納物が前部開口部や後部開口部から落下することがない。
【００３３】
図３（ｂ）には、収納棚３を収縮させた状態を示す。この場合には、手前側部材３３が、奥側部材３４の前部開口部を通じて後方に移動させられて、奥側部材３４の収納空間に入れられる。収納棚３を伸長させた場合と比較して、収納棚３の収容能力が減少するが、収納棚３を収縮されることにより収納棚３の前方に形成された空間によって、引出し２の手前側に背の高い収納物１１１を収納することが可能となる。
【００３４】
図４は、収納棚３を正面から見た様子を示す。手前側部材３３は、奥側部材３４の内側を摺動するようになされている。また、正面向かって両側に設けられた支持部３１に対して、コの字状に設けられた手前側部材摺動部３３ａが嵌められて摺動するように取り付けられている。支持部３１の下面には、奥側部材３４が固定して取り付けられている。支持部３１は水平に設けられた板状の部材であり、支持部３１の外側が、キャビネット本体１１内側の凹部１２に懸架されることによって、収納棚３がキャビネット本体１１に対して摺動するようになされている。支持部３１の内側には、コの字状の手前側部材摺動部３３ａが嵌められていて、手前側部材３３は支持部３１の内側かつ奥側部材３４の内側を、奥側部材３４の収納空間を通るようにして前後方向に摺動する。
【００３５】
この実施形態においては、収納棚３を水平に伸縮自在となしたことから、引出し２内部に背の高い収納物１１１を収納した場合には収納棚を収縮させて使用し、そうで無い場合は伸長させて使用することで、引出し２の収納物などのキャビネット１の使用状況に応じた使い勝手の良いキャビネット１を提供することを可能にしている。又、収納棚３は互いに摺動する２つの部材３３、３４が結合することで伸縮自在となっていることから、シンプルな構造で伸縮自在の収納棚３が実現されている。
【００３６】
又、収納棚３は、引出し２奥側の奥側部材３４と、引出し２手前側の手前側部材３３との２つの部材が結合することで前後方向に伸縮自在となっていることから、引出し２の手前側に一升瓶などの背の高い収納物１１１を収納した場合にも、収納棚３を収縮させれば収納棚３が背の高い収納物１１１に当たることが無い。又、収納棚３がキャビネット本体１１に対して出し入れ自在であることから、収納棚３を使用しない場合は、収納棚３を収縮させてキャビネット本体１１に入れておけば、引出し２の収納物を出し入れしやすい。また収納棚３を収縮させておけば、収納棚３を手前に出した場合にも、引出し２手前に収納した背の高い収納物１１１（一升瓶など）に当たらなくて良い。
【００３７】
なお、本願発明は上記実施形態に限定されない。例えば、収納棚３は引出し２に対して摺動するように取り付けられてもよい。すなわち、収納棚３の支持部３１は、キャビネット本体１１内側の凹部１２に対して摺動するように懸架されているのではなく、引出し２両側の側面板２０２の内側に前後方向に設けられた直線状の引出し凹部に対して摺動するように懸架させても良い。引出し２を前後方向に動かせば、引出し２に取り付けられた収納棚３は、引出し２の動きと同様に前後方向に動く。さらに、収納棚３が引出し２に対して前後方向に動く。このことから、収納棚３は奥側部材３４を手前側に移動させることにより、引出し２奥側に背の高い収納物１１１を収納することが可能となる。
【００３８】
また、収納棚３を引出し２に対して取り付ける場合に、引出し２に向かって両側の側面板２０２と同一平面上の上方に、引出し２の前面板２０１から後面板２０４に渡って水平方向かつ前後方向に取り付けられた棒状の部材に対して、収納棚３を取り付けても良い。この場合には、収納棚３を引出し凹部に取り付ける場合と比較して、引出し２の側面板２０２の高さを低くすることや、引出し２の側面板２０２を無くすことが可能となり、引出し２の重量を軽減したり、引出し２の製造コストを低減したりすることが可能となる。
【図面の簡単な説明】
【００３９】
【図１】本願発明の一実施形態であるキャビネットの斜視図。
【図２】同キャビネットにおける（ａ）は図１におけるＸ−Ｘ断面図、（ｂ）は収納棚が伸張した状態を示す側面透視図、（ｃ）は収納棚が収縮した状態を示す側面透視図。
【図３】同キャビネットにおける収納棚を示す（ａ）は収納棚が伸張した状態を示す側面図、（ｂ）は収納棚が収縮した状態を示す側面図。
【図４】同キャビネットおける収納棚の正面図。
【図５】従来例であるキャビネットの斜視図。
【符号の説明】
【００４０】
１  キャビネット
11  キャビネット本体
111  背の高い収納物
12  凹部（キャビネット本体の両側の側面板内側に前後方向に設けられた直線状の凹部）
２  引出し
201  前面板（引出しの前側に垂直に設けられた前面板）
202  側面板（引出し前面板に正面向かって両側に取り付けられた側面板）
203  後面板（引出しの後ろ側に垂直に設けられた後面板）
204  底面板（引出しの底面板）
21  引手（引出しの引手）
３  収納棚
31  支持部（収納棚の支持部）
32  収納部（収納棚の収納部）
33  手前側部材（収納棚の収納部を構成する２つの部材の手前側部材）
33a  手前側部材摺動部
34  奥側部材（収納棚の収納部を構成する２つの部材の奥側部材）
【図１】
2007082950.tif 000003
【図２】
2007082950.tif 000004
【図３】
2007082950.tif 000005
【図４】
2007082950.tif 000006
【図５】
2007082950.tif 000007